(57)【要約】【課題】  携帯無線通信端末において、局所電磁波比吸収率（SAR）を低減する。【解決手段】  ディスプレイ２０の周囲に配置されており、接地部２６により接地された導電性部材２２と、導電性部材２２の上に配置された磁性体入りダンパーシート２４とを備える。携帯電話１においては、ディスプレイ２０の付近に高周波電力が高くなる点（ホットスポット）が存在する。しかも、ディスプレイ２０の付近には図示省略したスピーカがあり、ユーザが耳を当てて、通話相手の音声を聞き取るので、SARが高くなる。ここで、磁性体入りダンパーシート２４には磁性体が混入されているので、ディスプレイ２０付近の高周波磁界を集中させて吸収できる。しかも、ディスプレイ２０付近の面電流を抑制する。よって、ディスプレイ２０付近のホットスポットの電力が低減する。これにより、携帯電話１の通話時のSARを低減することができる。【選択図】  図３
2005124043.tif 000002
【特許請求の範囲】
【請求項１】
ディスプレイの周囲に配置されており接地された導電性部材と、
前記導電性部材の上に配置された磁性体と、
を備えた携帯通信端末。
【請求項２】
請求項１に記載の携帯通信端末であって、
前記磁性体は、前記ディスプレイへの衝撃の緩衝材に混入されたものである、
携帯通信端末。
【発明の詳細な説明】
【技術分野】
【０００１】
本発明は携帯通信端末の局所電磁波比吸収率（SAR）の低減に関する。
【背景技術】
【０００２】
従来より、携帯電話等の携帯無線通信端末は、ユーザが手に持ち、耳に当てて使用することが多い。ここで、携帯電話はアンテナを有しているが、アンテナのみが電磁波を放射するというわけではない。携帯電話が有するシールドケース、回路基板もまた電磁波を放射している。そこで、携帯電話から放射される電磁波がユーザの人体に吸収されてしまう。人体に吸収される電磁波は低いことが好ましい。ここで、電磁波の人体への吸収量を示す指標の一つに、人体の特定部分に加えられた電磁波エネルギの吸収率である局所電磁波比吸収率（SAR : specific absorption rate）がある。よって、SARを低減することが好ましい。
【０００３】
SARを低減した携帯電話が特許文献１に記載されている。すなわち、ＬＣＤ素子の周縁に導電性部材を配置し、その導電性部材を接地するものである。
【０００４】
【特許文献１】特開２００２−３５３７３３号公報（要約）
【発明の開示】
【発明が解決しようとする課題】
【０００５】
しかしながら、さらなるSARの低減が好ましい。
【０００６】
そこで、本発明は、携帯通信端末において、さらにSARを低減することを課題とする。
【課題を解決するための手段】
【０００７】
本発明は携帯通信端末に関する。本発明に係る携帯通信端末は、導電性部材と、磁性体とを備える。
【０００８】
導電性部材は、ディスプレイの周囲に配置されており接地されている。磁性体は、導電性部材の上に配置されている。
【０００９】
なお、磁性体は、ディスプレイへの衝撃の緩衝材に混入されていることが好ましい。
【発明を実施するための最良の形態】
【００１０】
以下、本発明の実施形態を図面を参照しながら説明する。
【００１１】
図１は、本発明の実施形態にかかる携帯電話（携帯通信端末）１の平面図である。図２は、本発明の実施形態にかかる携帯電話（携帯通信端末）１のＩＩ−ＩＩ断面図である。図３は、回路基板１２、導電性部材２２および磁性体入りダンパーシート２４の分解斜視図である。
【００１２】
携帯電話１は、上筐体１０、下筐体１１、回路基板１２、内蔵アンテナ１４、キー１５、シールドケース１６、ディスプレイ２０、導電性部材２２、磁性体入りダンパーシート２４、接地部２６を備える。
【００１３】
図１においては、図示の便宜上、ディスプレイ２０の付近の上筐体１０を取り外した状態を示している。また、図２においては、図示の便宜上、キー１５を図示省略している。
【００１４】
上筐体１０は、携帯電話１の回路基板１２よりも上部を覆う筐体である。
【００１５】
下筐体１１は、携帯電話１の回路基板１２よりも下部を覆う筐体である。
【００１６】
回路基板１２は、内蔵アンテナ１４、シールドケース１６およびディスプレイ２０等を載せるための回路基板である。
【００１７】
内蔵アンテナ１４は、回路基板１２の下側に載せられた、携帯電話１の通信に用いるためのアンテナである。
【００１８】
キー１５は、いわゆるテンキーなどであり、電話番号等の入力に使用される周知のものである。キー１５は、上筐体１０側に配置されている。
【００１９】
シールドケース１６は、回路基板１２上に構成された無線回路を電気的に遮断するためのものであり、回路基板１２の下側に載せられている。
【００２０】
ディスプレイ２０は、内蔵アンテナ１４にほぼ向かい合うように、回路基板１２の上側に載せられている。ディスプレイ２０は、様々な情報を表示するための液晶の表示器である。ディスプレイ２０はほぼ直方体である。
【００２１】
導電性部材２２は、ディスプレイ２０の周囲に配置されている。より具体的には、回路基板１２と垂直なディスプレイ２０の四面に密着し、ディスプレイ２０を包囲するように配置されている。
【００２２】
磁性体入りダンパーシート２４は、導電性部材２２の真上に配置された緩衝材である。磁性体入りダンパーシート２４は、上筐体１０を介してのディスプレイ２０への衝撃を和らげるためのものである。磁性体入りダンパーシート２４は、例えば、シリコンゴムと磁性体とを１：１の割合で混合したものである。
【００２３】
接地部２６は、導電性部材２２を回路基板１２上の図示省略した接地電位に接続するためのものである。
【００２４】
次に、本発明の実施形態の動作を説明する。
【００２５】
携帯電話１によりユーザが通話を行なう際には、内蔵アンテナ１４から電磁波が放射される。このとき、携帯電話１の回路基板１２の上には、高周波電流が流れる。高周波電流よる高周波電力が高くなる点（ホットスポット）は、内蔵アンテナ１４の近傍にある。特に、通信に使用する周波数が900MHz帯付近の携帯電話１においては、ディスプレイ２０の付近にホットスポットが存在する。また、ディスプレイ２０の付近には図示省略したスピーカがあり、ユーザが耳を当てて、通話相手の音声を聞き取る。
【００２６】
ここで、SARは、ホットスポットが人体に近くなる程、高くなる。また、ホットスポットにおける電力が高くなる程、高くなる。よって、ディスプレイ２０付近のホットスポットには人体の耳が接近するため、SARが高くなる。
【００２７】
そこで、SARを低くするためには、ディスプレイ２０付近のホットスポットの電力を低減すればよい。
【００２８】
ここで、導電性部材２２は、ディスプレイ２０の周囲に配置されている。すると、ディスプレイ２０付近の高周波電流が分散される。これにより、ディスプレイ２０付近のホットスポットに高周波電流が集中する割合が減少する。よって、ディスプレイ２０付近のホットスポットの電力が低減する。
【００２９】
しかも、磁性体入りダンパーシート２４は、導電性部材２２の真上に配置されている。よって、磁性体入りダンパーシート２４の有する磁性体が、ディスプレイ２０付近の高周波磁界を集中させて吸収する。しかも、ディスプレイ２０付近の面電流を抑制する。よって、ディスプレイ２０付近のホットスポットの電力が低減する。
【００３０】
図４は、磁性体の透磁率の周波数特性例を示すグラフである。複素透磁率μ＝μ’−ｊμ’’である。μ’は実部であり、周波数が高くなると減少する傾向があり、値が大きい程、高周波磁界を集中させることができると考えられる。μ’’は虚部であり、ある周波数まで増加し、その周波数を超えると減少する傾向があり、値が大きい程、高周波磁界を吸収させることができると考えられる。よって、携帯電話１が通信に使用する周波数において適当な値の複素透磁率μ＝μ’−ｊμ’’を得られるように、適当な磁性体を選んで、磁性体入りダンパーシート２４に混入する。
【００３１】
本発明の実施形態によれば、磁性体入りダンパーシート２４に磁性体を混入したので、ディスプレイ２０付近の高周波磁界を集中させて吸収できる。しかも、ディスプレイ２０付近の面電流を抑制する。よって、ディスプレイ２０付近のホットスポットの電力が低減する。これにより、携帯電話１の通話時のSARを低減することができる。
【００３２】
しかも、磁性体入りダンパーシート２４を設けても、携帯電話１の遠方界でのアンテナ効率の劣化は非常に微小であるため、携帯電話１の出力を落とさずに、送信品質を維持したまま、SARを低減させることができる。
【実施例１】
【００３３】
本発明の実施形態から、導電性部材２２および磁性体入りダンパーシート２４を除去したもの（比較例１）、比較例１に導電性部材２２を設けたもの（比較例２）、本発明の実施形態、すなわち比較例２に磁性体入りダンパーシート２４を設けたもの（実施例）におけるSARの測定結果を説明する。
【００３４】
携帯電話１から放射される電磁波によるSARは、SAR測定システムにより測定される。このSAR測定システムは、主に、人体の脳とほぼ同じ誘電率、導電率に調整された溶液に入ったファントム、ファントム内部に挿入されたSARを測定する電界プローブ、および電界プローブを搬送するロボットアームを備える。電界プローブはロボットアームによりファントム内を三次元的に移動し、携帯電話１から放射される電磁波によるファントム内部の電界が測定される。この電界の測定値により、SARが求められる。
【００３５】
図５は、比較例１における携帯電話１の側面図（図５（ａ））、平面図（図５（ｂ））である。ただし、図５（ａ）においては、上筐体１０および下筐体１１を図示省略している。図５（ａ）に示すように、人体の頭部側においては磁界が吸収されるわけではく、ディスプレイ２０付近に大きな（電力の大きい）ホットスポットができてしまう。図６に、比較例１におけるSARの測定結果を示す。比較例１におけるSARの最大値を1.0とする。
【００３６】
図７は、比較例２における携帯電話１の側面図（図７（ａ））、平面図（図７（ｂ））である。ただし、図７（ａ）においては、上筐体１０および下筐体１１を図示省略している。図７（ｂ）に示すように、ディスプレイ２０付近においては、導電性部材２２により高周波電流が分散される。これにより、ディスプレイ２０付近にホットスポットの大きさが小さくなる。図８に、比較例２におけるSARの測定結果を示す。比較例１におけるSARの最大値を1.0とすると、比較例２におけるSARの最大値は約0.9となる。
【００３７】
図９は、実施例における携帯電話１の側面図（図９（ａ））、平面図（図９（ｂ））である。ただし、図９（ａ）においては、上筐体１０および下筐体１１を図示省略している。図９（ｂ）に示すように、ディスプレイ２０付近においては、導電性部材２２により高周波電流が分散される。しかも、図９（ａ）に示すように、磁界が磁性体入りダンパーシート２４により吸収される。これにより、ディスプレイ２０付近にホットスポットの大きさがさらに小さくなる。図１０に、実施例におけるSARの測定結果を示す。比較例１におけるSARの最大値を1.0とすると、実施例におけるSARの最大値は約0.8となる。ただし、
磁性体入りダンパーシート２４に配合した磁性体の量は約50％、μ’≒6.9、μ’’≒5.7、通信に使用する周波数＝900MHzである。
【図面の簡単な説明】
【００３８】
【図１】本発明の実施形態にかかる携帯電話（携帯通信端末）１の平面図である。
【００３９】
【図２】本発明の実施形態にかかる携帯電話（携帯通信端末）１のＩＩ−ＩＩ断面図である。
【００４０】
【図３】回路基板１２、導電性部材２２および磁性体入りダンパーシート２４の分解斜視図である。
【００４１】
【図４】磁性体の透磁率の周波数特性例を示すグラフである。
【００４２】
【図５】比較例１における携帯電話１の側面図（図５（ａ））、平面図（図５（ｂ））である。
【００４３】
【図６】比較例１におけるSARの測定結果を示す。
【００４４】
【図７】比較例２における携帯電話１の側面図（図７（ａ））、平面図（図７（ｂ））である。
【００４５】
【図８】比較例２におけるSARの測定結果を示す。
【００４６】
【図９】実施例における携帯電話１の側面図（図９（ａ））、平面図（図９（ｂ））である。
【００４７】
【図１０】実施例におけるSARの測定結果を示す。
【符号の説明】
【００４８】
１  携帯電話
１０  上筐体
１１  下筐体
１２  回路基板
１４  内蔵アンテナ
１５  キー
１６  シールドケース
２０  ディスプレイ
２２  導電性部材
２４  磁性体入りダンパーシート
２６  接地部
【図１】
2005124043.tif 000003
【図２】
2005124043.tif 000004
【図３】
2005124043.tif 000005
【図４】
2005124043.tif 000006
【図５】
2005124043.tif 000007
【図６】
2005124043.tif 000008
【図７】
2005124043.tif 000009
【図８】
2005124043.tif 000010
【図９】
2005124043.tif 000011
【図１０】
2005124043.tif 000012